(57)【特許請求の範囲】
【請求項１】
隣接する２つのデータ区間を連結する連結領域を有し、その連結領域は少なくとも２つの同一サイズの連結フレームを有し、それぞれの連結フレームは、後にスクランブルデータを伴う少なくとも１つのフレーム同期信号を含み、そのスクランブルデータは少なくとも物理的アドレスの一部を含むスクランブリングキーでスクランブルすることによって生成され、
前記物理的アドレスは、前の物理的クラスタの物理的アドレスの少なくとも一部を含むことを特徴とする再生専用記録媒体。
【請求項２】
それぞれの前記連結フレームは、少なくとも１つのパリティデータを含むことを特徴とする請求項１記載の再生専用記録媒体。
【請求項３】
前記スクランブリングキーは前記フレーム同期信号の少なくとも一部であることを特徴とする請求項１記載の再生専用記録媒体。
【請求項４】
前記物理的アドレスは前のデータ区間の物理的アドレスの少なくとも一部を有することを特徴とする請求項１記載の再生専用記録媒体。
【請求項５】
前記物理的アドレスは、前記前のデータ区間のアドレスユニット番号であることを特徴とする請求項４記載の再生専用記録媒体。
【請求項６】
前記データ領域と前記連結領域のうち１つのフレームは前記フレームのフレーム同期と前のフレームのフレーム同期の組合せに基づいて識別可能であることを特徴とする請求項１記載の再生専用記録媒体。
【請求項７】
前記再生専用記録媒体は、前記データ領域のデータ再生の制御に用いられる管理情報を含むリードイン領域を有することを特徴とする請求項１記載の再生専用記録媒体。
【請求項８】
物理的アドレスでデータをスクランブルするステップと、
再生専用記録媒体のデータ領域の隣接する２つのデータ区間を連結する連結領域の少なくとも２つの連結フレームのそれぞれに、前記スクランブルされたデータを記録するステップと、
を有し、
それぞれの連結フレームは少なくとも１つのフレーム同期信号を有し、前記スクランブルされたデータは前記少なくとも１つのフレーム同期信号の後に記録され、
前記物理的アドレスは、前の物理的クラスタの物理的アドレスの少なくとも１部を含むことを特徴とする再生専用記録媒体を形成する方法。
【請求項９】
前記物理的アドレスは前記前の物理的クラスタのアドレスユニット番号であることを特徴とする請求項８記載の方法。
【請求項１０】
前記物理的アドレスは前のデータ区間の物理的アドレスの少なくとも１部を含むことを特徴とする請求項８記載の方法。
【請求項１１】
前記物理的アドレスは、現在の物理的データ区間の物理的アドレスの一部であることを特徴とする請求項８記載の方法。
【請求項１２】
データを再生するために、データ領域の隣接する２つのデータ区間を連結する領域である連結領域を用いるステップを有し、
前記連結領域は少なくとも２つの連結フレームを有し、連結フレームのそれぞれは、後ろにスクランブルデータを伴った少なくとも１つのフレーム同期信号を有し、前記スクランブルデータは物理的アドレスでスクランブルすることによって生成され、
前記物理的アドレスは、前の物理的クラスタの物理的アドレスの少なくとも１部を含むことを特徴とする再生専用記録媒体からデータを再生する方法。
【請求項１３】
前記物理的アドレスは、前の物理的クラスタのアドレスユニット番号の少なくとも１部を有することを特徴とする請求項１２記載の方法。
【請求項１４】
前記物理的アドレスは、前記スクランブルされたデータをデスクランブリングするために用いられることを特徴とする請求項１２記載の方法。
【請求項１５】
前記連結領域を用いるステップは、前記物理的アドレスを用いて前記スクランブルされたユーザデータをデスクランブリングするステップを含むことを特徴とする請求項１４記載の方法。
【請求項１６】
データを記録するために、データ領域の隣接する２つのデータ区間を連結する連結領域を用いるステップを有し、
前記連結領域は、物理的アドレスでスクランブルすることによって生成されたスクランブルされたデータを後ろに伴った２つの連結フレームを有し、
前記物理的アドレスは、前の物理的クラスタの物理的アドレスの少なくとも１部を含むることを特徴とする再生専用記録媒体にデータを記録する方法。
【請求項１７】
前記物理的アドレスは前のデータ区間のアドレスユニット番号の少なくとも一部を含むことを特徴とする請求項１６記載の方法。
【請求項１８】
前記物理的アドレスは、前の物理的データ区間と次の物理的データ区間の一部であることを特徴とする請求項１６記載の方法
【請求項１９】
再生専用記録媒体のデータ領域の隣接する２つのデータ区間を繋ぎ、同一サイズの少なくとも２つの連結フレームを有する連結領域のデータを読み出すように構成された光ピックアップと、
前記連結フレームに含まれる前記フレーム同期に基づいて現在の再生位置が連結領域であるかどうかを前記光ピックアップによって判定し、判定結果に応じて再生を制御するように構成された制御部と、
を備え、
それぞれの連結フレームは、物理的アドレスでスクランブルすることによって生成されたスクランブルされたデータを後ろに伴う少なくとも１つのフレーム同期信号を有し、
前記物理的アドレスは、前の物理的クラスタの物理的アドレスの少なくとも１部を含むことを特徴とする再生専用記録媒体からデータを再生する装置。
【請求項２０】
前記物理的アドレスでスクランブルされたデータをデスクランブリングするように構成されたスクランブラと、
前記スクランブルされたデータに追加データを付加するように構成された加算器と、
をさらに有することを特徴とする請求項１９記載の装置。
【請求項２１】
前記物理的アドレスは、前の物理的データ区間に含まれる制御データから受信されることを特徴とする請求項２０記載の装置。
【請求項２２】
再生専用記録媒体のデータ領域の隣接する２つのデータ区間を連結する連結領域に記録するデータをスクランブルする方法であって、
シフトレジスタへ物理的アドレスの一部をロードするステップと、
前記シフトレジスタの各シフト毎にスクランブルされたバイトを出力するステップと、
前記各スクランブルされたバイトをデータのバイトに結合するステップとを有し、
前記物理的アドレスは、前の物理的クラスタの物理的アドレスの少なくとも１部を含むことを特徴とする方法。
【請求項２３】
再生専用記録媒体に連結フレームを構成させる方法において、
少なくとも物理的アドレスの１部を含むスクランブリングキーでデータをスクランブルするステップと、
前記スクランブルされたデータに追加のデータを結合するステップと、
再生専用記録媒体のデータ領域の隣接するデータ区間を連結するために連結フレームに前記結合されスクランブルされたデータを記録するステップとを有し、
前記物理的アドレスは、前の物理的クラスタの物理的アドレスの少なくとも１部を含むことを特徴とする方法。
【請求項２４】
前記物理的アドレスは前の物理的クラスタのアドレスユニット番号から受信されることを特徴とする請求項１９または２０記載の装置。
【請求項２５】
前記制御部は、前記再生専用記録媒体のリードイン領域に含まれる管理情報を用いて光ピックアップによって読み出されるデータ再生を制御するように構成されていることを特徴とする請求項１９記載の装置。
【請求項２６】
前記制御部は、前記フレームのフレーム同期信号と前のフレームのフレーム同期信号の組合せに基づいて、前記データ領域および前記連結領域１つにあるフレームを識別する光ピックアップを制御するように構成されていることを特徴とする請求項１９記載の装置。
【発明の詳細な説明】
【技術分野】
【０００１】
本発明は、再記録可能記録媒体との再生互換性のために、大容量の高密度再生専用光ディスクのデータブロック間に確保される、スクランブリングデータを含む連結領域を備えた記録媒体に関する。さらにはその記録媒体を形成し、記録しかつその記録媒体から再生する装置と方法に関する。
【背景技術】
【０００２】
一般的なＣＤ（ＣＤ：Ｃｏｍｐａｃｔ  Ｄｉｓｃ）のような光ディスクに比べて、高画質のビデオ／オーディオデータを長時間記録することができる大容量の光ディスクであるＤＶＤが開発され市場に発表されて、広く普及し、使われている。ＤＶＤの種類には、再生専用のＤＶＤ−ＲＯＭ、１回記録可能なＤＶＤ−Ｒ、そして再記録可能なＤＶＤ−ＲＡＭまたはＤＶＤ−ＲＷ（ＤＶＤ−Ｒｅｗｒｉｔａｂｌｅ）などがある。
【０００３】
また、最近ではＤＶＤより大容量の光ディスクである高密度再記録可能なブルーレイディスク（ＢＤ−ＲＥ：Ｂｌｕ−ｒａｙ  Ｄｉｓｃ  Ｒｅｗｒｉｔａｂｌｅ）に対する規格化作業が具体的に関連企業間に論議されている。
【０００４】
図１Ａに示したように再記録可能なブルーレイディスクはクランピング領域１、トランジション領域２、バーストカッティング領域（ＢＣＡ）３、リードイン領域４、データ領域、リードアウト領域５などに区画される。
【０００５】
クランピング領域１は回転ディスクの中心を固定させる領域である。トランジション領域２はクランピング領域１と情報領域の間の転移領域であって、情報領域はリードイン領域４とデータ領域を含む。バーストカッティング領域３はディスク製造段階の完成後にディスクに特定フォーマットで情報を記録する領域であって、リードイン領域４はディスクの主要制御情報を記録する領域である。データ領域はユーザデータが記録される領域で、リードアウト領域５はディスクの外周に形成されたディスクの終わりの領域である。
【０００６】
リードイン領域４はさらに、ガード領域１（Ｇｕａｒｄ  １）、ＰＩＣ領域、ガード２領域（Ｇｕａｒｄ  ２）、情報２領域（ｉｎｆｏ  ２）、ＯＰＣ領域、予備領域（Ｒｅｓｅｒｖｅｄ）、情報領域１（ｉｎｆｏ  １）に区分されている。
【０００７】
ガード領域１はＢＣＡによりＰＩＣ領域の重畳記録を防止するための保護領域であり、、ＰＩＣ領域はディスクの一般制御情報が事前記録グルーブ形態で記録された領域であって、ガード２領域は事前記録領域を再記録可能な領域間へ変換するためのバッファ領域である。。
【０００８】
情報１と情報２領域はディスクまたは装置に対する特別情報を記録するための領域である。
【０００９】
図１Ｂ及び図１Ｃは、論議されている規格によるＢＤ−ＲＥの記録ユニットブロック（ＲＵＢ：Ｒｅｃｏｒｄｉｎｇ  Ｕｎｉｔ  Ｂｌｏｃｋ）を示したものである。記録ユニットブロックは一つのエラー訂正ブロック（ＥＣＣ  ｂｌｏｃｋ）に対応するブロックであって、データが記録される一つの記録ユニットブロックは、図１Ｂのようにランイン（Ｒｕｎ−ｉｎ）領域、物理的クラスタ（Ｐｈｙｓｉｃａｌ  Ｃｌｕｓｔｅｒ）領域、ランアウト（Ｒｕｎ−ｏｕｔ）領域及びガード（Ｇｕａｒｄ）領域を含んでいる。
【００１０】
もし、Ａ／Ｖデータのように一度に数多くの、すなわち連続的にユニットブロックの記録を伴うデータである場合には、図１Ｃに示したように、ランイン領域、物理的クラスタ領域、ランアウト領域を必要なだけ繰り返えし、最終にガード（Ｇｕａｒｄ_３）領域が構成される記録フォーマットとすることができる。
【００１１】
ランイン（Ｒｕｎ−ｉｎ）領域は、図２Ａに示したように、１１００ｃｈａｎｎｅｌ  ｂｉｔのガード（Ｇｕａｒｄ_１）領域と１６６０ｃｈａｎｎｅｌ  ｂｉｔのプリアンブル領域（ＰｒＡ：Ｐｒｅａｍｂｌｅ）を含む。ガード１領域には記録ユニットブロックの先頭を識別できるようにするための２０ｃｈａｎｎｅｌ  ｂｉｔの同一パターンデータが５５回反復して記録され、プリアンブル領域には、３０ｃｈａｎｎｅｌ  ｂｉｔの第１同期データ（Ｓｙｎｃ_１）と第２同期データ（Ｓｙｎｃ_２）がそれぞれ含まれている。各同期データは２４ビットの同期ボディー（Ｓｙｎｃ  ｂｏｄｙ）と６ビットの同期ＩＤ（Ｓｙｎｃ  ＩＤ）で構成されている。第１同期データの同期ＩＤはＦＳ４（'０００１００')であって第２同期データはＦＳ６（'０１００００'）である。
【００１２】
ランアウト（Ｒｕｎ−ｏｕｔ）領域は、図２Ｂに示したように、５６４ｃｈａｎｎｅｌ  ｂｉｔのポストアンブル（ＰｏＡ：Ｐｏｓｔａｍｂｌｅ）領域と５４０ｃｈａｎｎｅｌ  ｂｉｔのガード（Ｇｕａｒｄ_３）領域で構成され、ポストアンブル（ＰｏＡ）領域には、第３同期データ（Ｓｙｎｃ_３）が含まれる。第３同期データもやはり、２４ビットの同期ボディーと６ビットの同期ＩＤで構成されるが、その同期ＩＤはＦＳ０（'０００００１'）である。
【００１３】
ガード３領域は、記録終了後に次回に記録されるデータが前に記録されたデータと重なるのを事前に防止するために使われる領域であって、記録ユニットの終端を識別できるようにするために２０ｃｈａｎｎｅｌ  ｂｉｔの同一パターンデータが２７回反復記録される。
【００１４】
物理的クラスタ（Ｃｌｕｓｔｅｒ）領域には、ユーザデータが記録されるが、そのクラスタ領域に記録されるデータは、ランイン領域に記録された同期データに同期したクロックを用いる再生信号処理部によって元のデータに復元される。
【００１５】
図１Ｄは再記録可能なブルーレイディスクの物理的クラスタの細部のデータフォーマットを示したものである。物理的クラスタ領域には３１個のレコーディングフレーム（ｆｒａｍｅ  ０〜ｆｒａｍｅ  ３０）が記録される。その３１個のレコーディングフレームには図１Ｄに示したように異なる７個のフレーム同期（ｆｒａｍｅ  Ｓｙｎｃ  ０〜６）が事前に定めた固有の順序通り連係して記録される。
【００１６】
図１Ｅは物理的クラスタ領域に記録されるレコーディングフレーム同期信号の種類とデータ列を示したものである。
【００１７】
図示したように総７種類の同期信号が使われている。各同期信号は２４ビットの同じ同期ボディー（ｂｏｄｙ）と、それぞれ異なる同期ＩＤとで構成されており、同期ＩＤは異なるビットパターンを有している。
【００１８】
また再記録可能なブルーレイディスクに記録されるデータには前述したように一つのエラー訂正ブロックに対応するユニットブロック（ＲＵＢ）をランダムアクセスするための物理的アドレス情報、例えばアドレスユニット番号（ＡＵＮ：Ａｄｄｒｅｓｓ  ｕｎｉｔ  Ｎｕｍｂｅｒ）が含まれて記録される。アドレス情報はＡ／Ｖデータと共に変調及びエンコーディングされて、記録ユニットブロック内の物理的クラスタ領域に分散記録される。そして、ＡＵＮは再記録可能なブルーレイディスクに実際には記録されない物理セクター番号（ＰＳＮ：Ｐｈｙｓｉｃａｌ  Ｓｅｃｔｏｒ  Ｎｕｍｂｅｒ）から誘導される。（図示せず）
【００１９】
一方従来の１回記録型、再記録型光ディスク（ＤＶＤ−Ｒ、−ＲＷ、−ＲＡＭ、＋Ｒ、＋ＲＷ）等の場合には不連続な記録の場合、連結フレーム（ｌｉｎｋｉｎｇ  ｆｒａｍｅ）のように前の記録データと現在記録するデータとを連結記録しているのに対して、再生専用光ディスク（ＤＶＤ−ＲＯＭ、Ｖｉｄｅｏ）の場合には１回記録型、再記録型光ディスクフォーマットとは違って連結フレームのような連結データが存在しない。（図示せず）
【００２０】
それゆえ１回記録型または再記録型ディスクを従来の光ディスク再生機（ＤＶＤ−Ｐｌａｙｅｒ  ｏｒ  ＤＶＤ−ＲＯＭ  Ｄｒｉｖｅ）で再生するためには別途のハードウェアまたはソフトウェアをさらに設置しなければならない。
【００２１】
また従来の光ディスク再生ディスクを１回記録型または再記録型記録機／プレーヤーで再生するための場合にも同様である。
【００２２】
一方、高密度再記録可能光ディスクの規格確立とともにこれに対応する高密度再生専用光ディスク（‘ＢＤ−ＲＯＭ’という）の規格も論議中にある。このＢＤ−ＲＯＭがＢＤ−ＲＥとその物理的記録フォーマットが同一になれば再生装置は両記録媒体に同一の再生アルゴリズムを適用できるので従来のＤＶＤシステムに比較して様々な面で有利である。また、両記録媒体は互換性を確保すると同時に相互に区別できなければならない必要性も有する。したがって、相互に相反する両必要性を適切に調和させることが必要だが、これに対してまだ明確な解決策が提示されていない。
【発明の開示】
【発明が解決しようとする課題】
【００２３】
本発明は、前記のような実情を勘案して創作されたものであって、再記録可能高密度記録媒体と互換性を維持するために、同様に連結領域を有する物理的記録フォーマットの再生専用高密度記録媒体とその再生方法／装置を提供することが目的である。
【００２４】
本発明の他の目的は、連結領域の同期データがデータ領域に記録される同期データとは区別されるビットパターンを有する再生専用高密度記録媒体とその再生方法／装置を提供することである。
【００２５】
本発明のさらに他の目的は、連結領域に同期データと共に物理的アドレス情報を記録することである。
【００２６】
本発明のさらに他の目的は、連結領域にデータをスクランブルして記録した再生専用高密度記録媒体及びその再生方法／装置を提供することである。
【００２７】
本発明のさらに他の目的は、ユーザデータのスクランブリング方式と同一の方式で連結領域のデータをスクランブリングして記録した高密度記録媒体及びその再生方法／装置を提供することである。
【００２８】
本発明のさらに他の目的は、物理クラスタのデータフレームに関連した物理セクターから前に誘導された値を利用して連結領域のデータをスクランブリングして記録した高密度記録媒体及びその再生方法／装置を提供することである。
【００２９】
本発明のさらに他の目的は、連結領域のデータにダミーデータを記録した高密度記録媒体及びその再生方法／装置を提供することである。
【００３０】
本発明のさらに他の目的は、連結領域のデータのエラーを訂正して記録した高密度記録媒体及びその再生方法／装置を提供することにある。
【課題を解決するための手段】
【００３１】
本発明記録媒体は、少なくとも二つのデータ区間を含むデータ領域と、隣接するデータ区間を連結する連結領域とを有し、その連結領域にスクランブリングキーでユーザデータをスクランブルすることによって生成されたスクランブルされたユーザデータを含むことを特徴とする。
【００３２】
本発明記録媒体を形成する方法は、スクランブリングキーでユーザデータをスクランブルするステップと、記録媒体のデータ領域の隣接するデータ区間を連結する連結領域にスクランブルされたユーザデータを記録するステップとを有することを特徴とする。
【００３３】
本発明記録媒体からデータを再生する方法は、データを再生するために、データ領域の隣接するデータ区間を連結する領域である、スクランブルされたユーザデータを含む連結領域を用いるステップを含むことを特徴とする。
【００３４】
本発明記録媒体にデータを記録する方法は、データを記録するために、データ領域の隣接するデータ区間を連結する領域である、スクランブルされたユーザデータを含む連結領域を用いるステップを含むことを特徴とする。
【００３５】
本発明記録媒体からデータを再生する装置は、データを再生するために、データ領域の隣接データ区間を連結する領域である、スクランブルされたユーザデータを含む連結領域を使用することを特徴とする。
【００３６】
本発明は、再記録可能な高密度ディスクのランアウト領域及びランイン領域に対応する特定記録区間に所定の記録大きさを有する連結領域を記録することを特徴とする。
【００３７】
前記連結領域内に所定記録大きさのレコーディングフレームを記録することを特徴とする。
【００３８】
前記レコーディングフレームに含めて記録されるユーザデータに任意の付加情報を記録することを特徴とする。
【００３９】
記録されたデータの区間の間に前後のデータ区間を繋ぐ連結領域を有しており、その連結領域には連結領域であることを知らせる同期信号が少なくとも一つ記録されることを特徴としており、
【００４０】
その同期信号はデータ区間に記録された同期信号とは区別されるように構成することを特徴とする。
【００４１】
前記連結領域にはその連結領域の前または後に記録された隣接された物理的アドレスを利用してスクランブルされたデータが記録されていることを特徴とする。
【００４２】
前記連結領域にはその連結領域に記録されるフレーム同期信号を利用してスクランブルされたデータが記録されていることを特徴とする。
【００４３】
前記連結領域には事前に設定した任意の値を利用してスクランブルされたデータが記録されていることを特徴とする。
【００４４】
前記連結領域内の所定の記録大きさのレコーディングフレーム内に事前に設定された任意の値を有するダミーデータが記録されていることを特徴とする。
【００４５】
前記レコーディングフレーム内の物理的アドレスを示す情報が記録されていることを特徴とする。
【００４６】
前記レコーディングフレーム内のユーザデータがエラー訂正して記録されていることを特徴とする。
【００４７】
前記レコーディングフレーム内のエラー訂正されたユーザデータはユーザデータのエラー訂正方法と同一または同様の方法で処理したことを特徴とする。
【００４８】
また、本発明による高密度再生専用光ディスクは、レコーディングユニットブロックが記録されるデータ記録領域のうち、再記録可能なブルーレイディスクのランアウト領域及びランイン領域に対応する特定記録区間に、所定の記録大きさを有するレコーディングフレームが記録されていることを特徴とする。
【００４９】
高密度再生専用光ディスクのデータ記録領域のうち、再記録可能なブルーレイディスクのランアウト領域及びランイン領域に対応する特定記録区間に、所定の記録大きさを有するレコーディングフレームを記録すると共に、そのレコーディングフレームのうち少なくともいずれか一つ以上に、固有のビット同期ＩＤを有するフレーム同期を含めて記録することを特徴とする。
【００５０】
高密度再生専用光ディスクのデータ記録領域のうち、再記録可能なブルーレイディスクのランアウト領域及びランイン領域に対応する特定記録区間に、所定の記録大きさを有するレコーディングフレームを記録すると共に、そのレコーディングフレーム内に、固有のビット同期ＩＤを有する同一のフレーム同期を含めて記録することを特徴とする。
【００５１】
本発明による高密度再生専用光ディスクは、レコーディングユニットブロックが記録されるデータ記録領域のうち、再記録可能なブルーレイディスクのランアウト領域及びランイン領域に対応する特定記録区間に、所定の記録大きさを有するレコーディングフレームが記録されると共に、そのレコーディングフレームのうち少なくとも一つに、固有のビット同期ＩＤを有するフレーム同期が記録されていることを特徴とする。
【００５２】
本発明による高密度再生専用光ディスクのリンク領域データ再生方法は、高密度再生専用光ディスクのレコーディングフレームに含まれたフレーム同期を読み出して、そのフレーム同期に含まれた同期ＩＤを確認する１段階；及び前記同期ＩＤが、物理的クラスタに含めて記録されたフレーム同期の同期ＩＤと異なった固有の同期ＩＤである場合、その記録区間を連結領域として判別する２段階を含むことを特徴とする。
【００５３】
また、本発明による高密度再生専用光ディスクの付加情報記録方法は、高密度再生専用光ディスクのデータ記録領域のうち、再記録可能なブルーレイディスクのランアウト領域及びランイン領域に対応する特定記録区間に、所定の記録大きさを有するレコーディングフレームを記録すると共に、その記録されたレコーディングフレーム前または後に記録された物理的クラスタのアドレス情報を、前記レコーディングフレーム内に記録することを特徴とする。
【００５４】
本発明による高密度再生専用光ディスクの連結領域データ記録方法は、高密度再生専用光ディスクのデータ記録領域のうち、再記録可能なブルーレイディスクのランアウト領域及びランイン領域に対応する特定記録区間に、所定の記録大きさを有するレコーディングフレームを記録すると共に、前記レコーディングフレームに含めて記録されるユーザデータに任意の付加情報を記録することを特徴とする。
【００５５】
本発明による高密度再生専用光ディスクの連結領域データ記録方法は、高密度再生専用光ディスクのデータ記録領域のうち、再記録可能なブルーレイディスクのランアウト領域及びランイン領域に対応する連結領域内に、所定の記録大きさの同期、物理的アドレス、そしてユーザデータを含んで構成されるレコーディングフレームを記録するが、そのレコーディングフレーム内のユーザデータを、そのレコーディングフレームに含めて記録される同期、物理的アドレス、または事前に設定された任意のコード値、またはそのレコーディングフレームに最も隣接した物理的クラスタ内のアドレスユニットデータのうちのいずれか一つを基準にしてスクランブル処理して記録することを特徴とする。
【００５６】
また、本発明による高密度再生専用光ディスクの連結領域データ記録方法は、高密度再生専用光ディスクのデータ記録領域のうち、再記録可能なブルーレイディスクのランアウト領域及びランイン領域に対応する連結領域内に、所定の記録大きさのレコーディングフレームを記録するが、各レコーディングフレーム内のユーザデータを、事前に設定された任意の値を有するダミーデータで互いに異なるように記録することを特徴とする。
【００５７】
前記のような特徴を有する、本発明による高密度再生専用光ディスクの連結領域構造は、高密度ディスク再生装置を、ＢＤ−ＲＥなどと同じ再記録可能光ディスクとの再生互換性を維持させることができるようにして、必要な場合、記録可能媒体なのか再生専用媒体なのかを容易に把握してそれに応じて適切な事前動作を行うことができるようにする。また連結領域に有用な情報を安全に記録して利用することもできるようにする。
【発明を実施するための最良の形態】
【００５８】
以下、本発明による高密度再生専用ディスク上の連結領域と、その領域に関連した記録方法、すなわち、データ形成方法に対する望ましい実施形態に対して、添付した図面を参照しながら詳細に説明する。以下で‘記録’は‘形成’（ｆｏｒｍｉｎｇ）と同一意味で使われ、以下連結領域（Ｌｉｎｋｉｎｇ  ａｒｅａ）内のフレームを連結フレーム（Ｌｉｎｋｉｎｇ  ｆｒａｍｅ）またはレコーディングフレームと表現することもある。
【００５９】
（１）．連結領域の構造（Ｓｔｒｕｃｔｕｒｅ  Ｏｆ  Ｌｉｎｋｉｎｇ  ａｒｅａ）
本発明によって製造される高密度再生専用光ディスク、例えばＢＤ−ＲＯＭは、図１ないし図２を参照しながら前述した再記録可能高密度記録媒体（ＢＤ−ＲＥ）の記録ユニットブロックの物理的な記録フォーマット（ランイン、クラスタ、ランアウト、ガード）を有している。しかしながら、各フィールドの名称は再記録可能高密度記録媒体とは変わることがある。
【００６０】
図３Ａは本発明の第１実施形態で図示したように形成されたＢＤ−ＲＯＭのランイン領域は、ガード（Ｇｕａｒｄ_１）領域とプリアンブル領域（ＰｒＡ）で構成されており、プリアンブル領域には、２４ビットの同期ボディー（Ｓｙｎｃ  ｂｏｄｙ）と６ビットの同期ＩＤ（ＳｙｎｃＩＤ）で構成された２個の同期データが含まれている。
【００６１】
図２Ａで説明したように、ＢＤ−ＲＥのプリアンブル領域の同期データは、それぞれ'０００１００'の同期ＩＤと、'０１００００'の同期ＩＤを有するが、本発明によるＢＤ−ＲＯＭのプリアンブル領域には、ＦＳ０（'０００００１'）の同期ＩＤを有する同期データ（Ｓｙｎｃ_３）と、ＦＳ６（'０１００００'）の同期ＩＤを有する同期データ（Ｓｙｎｃ_２）がその順に記録される。
【００６２】
また、本発明によるＢＤ−ＲＯＭのランアウト領域のポストアンブル（ＰｏＡ）領域には、図３Ｂに示したようにＦＳ４（'０００１００'）の同期ＩＤを有する同期データ（Ｓｙｎｃ_１）が記録される。ポストアンブルの同期データのＩＤがＦＳ０（‘０００００１’）の値を有するＢＤ−ＲＥととは異なる。
【００６３】
記録ユニットブロックが連続していれば、図１Ｃで見るようにランアウトとランインが相互に隣接させられる。このランアウト−ランイン対（連結領域である）には３個の同期データが含まれるが、ＢＤ−ＲＥでのこの同期データの記録順序はＳｙｎｃ_１、Ｓｙｎｃ_２、Ｓｙｎｃ_３になるが、本発明によるＢＤ−ＲＯＭでの順序は、ＢＤ−ＲＥとは反対の順序であるＳｙｎｃ_３、Ｓｙｎｃ_２、Ｓｙｎｃ_１になる。
【００６４】
したがって、本発明のＢＤ−ＲＯＭはＢＤ−ＲＥと同一の記録フォーマットを有するが同期データの記録順序により相互に区別できる。したがって、この同期信号配列により現在の領域が連結領域であることが容易に分かる。
【００６５】
この実施形態でランイン、ランアウト、ガード３領域に記録されるデータをＢＤ−ＲＥと同様の情報を持ったデータとして記録できる。
【００６６】
連結領域の構造は本発明の第２実施形態である図４Ａのように異なるように定義されてもよい。図４Ａの構造では、既存のＢＤ−ＲＥが大きさがそれぞれ１１０４と２７６０チャネルビットで異なるランイン領域とランアウト領域として構成されるが、本発明第２実施形態のＢＤ−ＲＯＭは相互に同一の大きさ（１９３２ｂｉｔｓ）の二連結フレームとして構成されている。
【００６７】
前記連結フレームは同一構造を有しており、それぞれは、同期データで３０チャネルビットのフレーム同期（ＦＳ：Ｆｒａｍｅ  Ｓｙｎｃ）と、９バイトの物理的アドレス（Ｐｈｙｓｉｃａｌ  ａｄｄｒｅｓｓ）情報、そして１１４バイトのユーザデータ（Ｕｓｅｒ  Ｄａｔａ）と３２バイトのパリティ（Ｐａｒｉｔｙ）で構成される。
【００６８】
１１４バイトのユーザデータには、多様な付加情報を記録することができる。例えばＢＤ−ＲＯＭに記録された映画等のような固有のコンテンツを、任意の第３者が不法複写できないようにするための複写防止情報や、サーボコントロールに使われる情報を記録することができる。
【００６９】
図４Ｂは本発明の第３実施形態であって、相互に同一の大きさ（１９３２ｂｉｔｓ）の二連結フレームとして構成されるが、それぞれは、同期データであり、３０チャネルビットのフレーム同期（ＦＳ：Ｆｒａｍｅ  Ｓｙｎｃ）と、９バイトの物理的アドレス（Ｐｈｙｓｉｃａｌ  ａｄｄｒｅｓｓ）情報と、１４６バイトのユーザデータ（Ｕｓｅｒ  Ｄａｔａ）とで構成される。図４Ａと比較して図４Ｂはパリティ（Ｐａｒｉｔｙ）を設けずにすべてユーザデータに割り当てて、記録することが特徴である。
【００７０】
１４６バイトのユーザデータには、多様な付加情報を記録することができる。例えばＢＤ−ＲＯＭに記録された映画等のような固有のコンテンツを、任意の第３者が不法複写できないようにするための複写防止情報や、サーボコントロールのために使われる情報を記録することができる。
【００７１】
図４Ｃは本発明の第４実施形態であって、相互に同一の大きさ（１９３２ｂｉｔｓ）の二連結フレームで構成されている。そのフレームは、同期データである３０チャネルビットのフレーム同期（ＦＳ：Ｆｒａｍｅ  Ｓｙｎｃ）と、１５５バイトのユーザデータ（Ｕｓｅｒ  Ｄａｔａ）である。図４Ａのものと比較すると、図４Ｃはパリティと物理的アドレスを配置しないで、すべてユーザデータに割り当てて記録することが特徴であり、図４Ｂのものと比較した場合には物理的アドレスをおかないことが特徴である。
【００７２】
図４Ｄは本発明の第５実施形態であって、同期データである３０チャネルビットのフレーム同期（ＦＳ：Ｆｒａｍｅ  Ｓｙｎｃ）と、３７１４チャネルビットの連結フレーム領域と、３０チャネルビットの第２の同期信号と、４０チャネルビットの反復パターンデータが二度記録されている。
【００７３】
３７１４チャネルビットの連結領域は３個の連結フレームと、４ビットのダミーデータとで構成されている。
【００７４】
以上のように、本発明による連結領域の構造は図示した実施形態に限らず多くの可能な構造に割り当てて、記録できる。
【００７５】
一方、物理的クラスタにはデータがＥＣＣブロック形態で記録される。このＥＣＣブロックには先に説明したように７種類のフレーム同期ＦＳ０〜ＦＳ６が使われる。しかし、本発明による図４Ａの連結フレームのうち少なくともいずれかは７種類フレーム同期とは区別される新しい同期ＩＤを有するフレーム同期を用いる。この新しいフレーム同期は‘ＦＳｎ’といって図５に示したように、そのＩＤとしては‘１００１０１’（ＦＳ７）、‘１０１０１０’（ＦＳ８）、‘０１０１０１’（ＦＳ９）、または‘１０１００１’（ＦＳ１０）の値を有することができる。
【００７６】
４個のビットパターンはすべて、ＢＤ−ＲＥで記述されたようにトランジションシフト（Ｔｒａｎｓｉｔｉｏｎ  Ｓｈｉｆｔ）が２ビット以上の距離でならなければならない条件を満足している。
【００７７】
図４Ａは第１連結フレームにはＦＳ０のフレーム同期を、第２連結フレームには新しく定義されたＦＳｎのフレーム同期を使用した例を示している。
【００７８】
ところが、ＢＤ−ＲＯＭへのデータ記録時にはＢＤ−ＲＥのためのデータ記録規格で定義されている１７ＰＰ（Ｐａｒｉｔｙ  Ｐｒｅｓｅｒｖｅ）変調コードの'Ｐｒｏｈｉｂｉｔ  ＲＭＴＲ（Ｒｕｎ  Ｌｉｍｉｔｅｄ  Ｔｒａｎｓｉｔｉｏｎ）'条件を満足させなければならない。
【００７９】
'Ｐｒｏｈｉｂｉｔ  ＲＭＴＲ'条件は、ＲＦ信号を安定に検出することができるようにするために、最小ランレングスである２Ｔパターン（‘０１’または‘１０’の連続）が最大６回より多く繰り返さないように制限する条件であるが、連続されるビット列がこのような条件を満足するようにするためには新しいフレーム同期のうち小さいビット遷移回数のものを用いることが有利である。したがって、‘１００１０１’（ＦＳ７）または‘１０１００１’（ＦＳ１０）がフレーム同期として使用するのが有利である。以下図６を基準にして詳細に説明する。
【００８０】
先に図６Ｂのｃａｓｅ  １は本発明の第１実施形態であって、その連結領域には、１９３２チャネルビットの記録大きさを有する２個のレコーディングフレームが記録されると共に、そのレコーディングフレームには、フレーム同期、物理的アドレス、ユーザデータ、パリティが記録されるが、この時、前記２個のレコーディングフレームのうち少なくともいずれか一つ以上には、本発明で新しく定義したＦＳｎが記録される。
【００８１】
例えば、連結領域内に記録される１番目のフレーム同期は、’０００  ００１’の６ビット同期ＩＤを有する'ＦＳ０’が記録され、２番目のフレーム同期は、’０１０  １０１’、’１０１  ０１０’、’１００  １０１’のうちいずれか一つの６ビット同期ＩＤを有する'ＦＳｎ’が記録される。
【００８２】
また、前記のように’０１０  １０１’、’１０１  ０１０’、’１００  １０１’のうちいずれか一つの６ビット同期ＩＤを有する'ＦＳｎ'が記録される場合、その次に連続記録される物理的アドレスは、図６Ａに示したように、スクランブル処理されない状態で'００'から始まる９バイトの大きさで記録されるが、これはＢＤ−ＲＥのデータ記録条件で、既に定義された１７ＰＰ（Ｐａｒｉｔｙ  Ｐｒｅｓｅｒｖｅ）変調コードの'Ｐｒｏｈｉｂｉｔ  ＲＭＴＲ（Ｒｕｎ  Ｌｉｍｉｔｅｄ  Ｔｒａｎｓｉｔｉｏｎ）'条件を満足させるためである。
【００８３】
例えば、ＦＳｎの６ビット同期ＩＤがＦＳ７（’１００  １０１’）であり、その次に記録されるユーザデータビット（Ｕｓｅｒ  Ｄａｔａ  Ｂｉｔ）が’０１  １１  ０１  １１’である場合、ユーザデータビットは、図７Ｄに示したように、ＢＤ−ＲＥの１７ＰＰ変調コード変換テーブルにより’０１０  １０１  ０１０  １０１’の変調ビット（Ｍｏｄｕｌａｔｉｏｎ  Ｂｉｔ）になるため、６ビット同期ＩＤと変調ビットは、’１００  １０１  ０１０  １０１  ０１０  １０１’になるので、１と１間に０が一つ存在する２Ｔパターンが７回連続繰り返される。
【００８４】
しかし、ユーザデータビットに'００’を追加させると、ユーザデータビットが、’００  ０１  １１  ０１  １１’になるため、ＢＤ−ＲＥの１７ＰＰ変調コード変換テーブルにより’０１０  １００  １０１  ０１０  １０１’の変調ビットになるので、この６ビット同期ＩＤと変調ビットは、’１００  １０１  ０１０  １００  １０１  ０１０  １０１’になって、１と１間に０が一つ存在する２Ｔパターンが３回連続繰り返された後、３Ｔパターンが検出されて、以後２Ｔパターンが４回連続繰り返される。
【００８５】
一方、図６Ｂのｃａｓｅ  ２は本発明による第２実施形態であって、連結領域には、１９３２チャネルビットの記録大きさを有する２個のレコーディングフレームが記録されると共に、それぞれのレコーディングフレームには、フレーム同期、物理的アドレス、ユーザデータ、パリティが記録される。その２個のレコーディングフレームのうち少なくともいずれか一つには新しく定義されたＦＳｎが記録されるが、そのＦＳｎは、ＦＳ１０（’１０１  ００１’）の６ビット同期ＩＤが記録される。
【００８６】
例えば、連結領域内に記録される１番目のフレーム同期は、’０００  ００１’の６ビット同期ＩＤを有する'ＦＳ０’が記録され、２番目のフレーム同期は、’１０１  ００１’の６ビット同期ＩＤを有する'ＦＳ１０’が記録される。前記のように’１０１  ００１’の６ビット同期ＩＤを有する'ＦＳ１０'が記録される場合、ＢＤ−ＲＥのデータ記録条件で、定義されている１７ＰＰ変調コードの'Ｐｒｏｈｉｂｉｔ  ＲＭＴＲ'条件を満足させるので、その次に連続して記録される物理的アドレスが必ず'００'から始まらなくても良い。
【００８７】
すなわち、ＦＳｎの６ビット同期ＩＤがＦＳ１０（’１０１  ００１’）であり、その次に記録されるユーザデータビットが’０１  １１  ０１  １１’である場合、そのユーザデータビットは、図７Ｄに示したように、ＢＤ−ＲＥの１７ＰＰ変調コード変換テーブルにより’０１０  １０１  ０１０  １０１’の変調ビット（Ｍｏｄｕｌａｔｉｏｎ  Ｂｉｔ）になって、６ビット同期ＩＤと変調ビットは、’１０１  ００１  ０１０  １０１  ０１０  １０１’になるので、１と１間に０が一つ存在する２Ｔパターンが１回検出されて、３Ｔパターンが検出された後、２Ｔパターンが６回連続繰り返される。
【００８８】
一方、図６Ｂのｃａｓｅ  ３は本発明による第３実施形態であって、その連結領域には、１９３２チャネルビットの記録大きさを有する２個のレコーディングフレームが記録されると共に、それぞれのレコーディングフレームには、フレーム同期、物理的アドレス、ユーザデータ、パリティが記録される。２個のレコーディングフレームには新しく定義されたＦＳｎがそれぞれ記録される。
【００８９】
例えば、連結領域内に記録される１番目のフレーム同期と２番目のフレーム同期は、ＦＳ７（’０１０  １０１’）、ＦＳ８（’１０１  ０１０’）、ＦＳ９（’１００  １０１’）のうちいずれか一つの６ビット同期ＩＤを有する'ＦＳｎ’がそれぞれ記録される。
【００９０】
また、前記のように’０１０  １０１’、’１０１  ０１０’、’１００  １０１’のうちいずれか一つの６ビット同期ＩＤを有する'ＦＳｎ'が記録される場合、その次に続いて記録される物理的アドレスは、図６Ａに示したように、スクランブル処理されない状態で'００'から始まる９バイトの記録大きさで記録されるが、これは前述したようにＢＤ−ＲＥのデータ記録条件で、既に定義された１７ＰＰ変調コードの'Ｐｒｏｈｉｂｉｔ  ＲＭＴＲ'条件を満足させるためである。
【００９１】
そして、‘１００  １０１’の６ビット同期ＩＤを有する'ＦＳ７’が記録される場合、そのフレーム同期の次に連続して記録されるユーザデータを’０１  １１  ０１  １１’でない他のユーザデータを記録して、'Ｐｒｏｈｉｂｉｔ  ＲＭＴＲ'条件を満足するようにすることができる。
【００９２】
一方、図６Ｂのｃａｓｅ  ４は本発明による第４実施形態であって、連結領域には、１９３２チャネルビットの記録大きさを有する２個のレコーディングフレームが記録されると共に、それぞれのレコーディングフレームには、フレーム同期、物理的アドレス、ユーザデータ、パリティが記録される。２個のレコーディングフレームには新しく定義されたＦＳｎがそれぞれ記録されるが、そのＦＳｎは、’１０１  ００１’の６ビット同期ＩＤを有するＦＳ１０が記録される。
【００９３】
例えば、連結領域内に記録される１番目のフレーム同期と２番目のフレーム同期が、’１０１  ００１’の６ビット同期ＩＤを有する'ＦＳ１０'ですべて記録される場合、ＢＤ−ＲＥのデータ記録条件で、定義されている１７ＰＰ変調コードの'Ｐｒｏｈｉｂｉｔ  ＲＭＴＲ'条件を満足させるので、その次に続けて記録される物理的アドレスが'００'から始まらなくても良い。
【００９４】
また、前記のように連結領域内に新しく定義されたＦＳｎがそれぞれ記録されると、以前の物理的クラスタ内に記録されたフレーム同期と比較することによって現在の記録領域が連結領域であることをさらに正確に区別することができる。
【００９５】
例えば、連結領域内に記録されたＦＳｎと、前の物理的クラスタ内に記録された２９番目ないし３１番目のレコーディングフレーム（Ｒｅｃｏｒｄｉｎｇ  Ｆｒａｍｅ＃２８、＃２９、＃３０）内のフレーム同期、すなわちＦＳ４、ＦＳ４、ＦＳ２を組み合わせる場合、ＦＳ４とＦＳｎ、ＦＳ２とＦＳｎの組合せになるので、物理的クラスタ内でのフレーム同期の組合とは全く異なった固有の組合せになるので、現在の記録領域を連結領域として正確に区別することができるようになる。前記の内容をさらに説明する。
【００９６】
以上のように、フレーム同期後端に記録されるデータに適切な条件（ｃｏｎｓｔｒａｉｎｔｓ）を賦課するならば４個の同期フレームのいずれをも使用することができる。
【００９７】
例えば、同期フレームの次に物理的アドレスを記録するが、そのアドレスの先頭は常に‘００’から始まるようにするなら、ＦＳ８とＦＳ９も何の問題なく用いることができる。
【００９８】
また物理的アドレスを記録しない場合にも同期フレームの次に特定バイト、例えば‘０８ｈ（００００  １０００）’の値をスクランブルなしに記録すれば、１７ＰＰ変調方式により’０８ｈ’が‘０００  １００  １００  １００’に変調されてフレーム同期の後端に位置するようになるので前記言及した４個のフレーム同期（ＦＳ７〜ＦＳ１０）はＲＭＴＲ条件に関係なくどれも使用することができる。
【００９９】
したがって、２個の連結フレームにはＦＳｎフレーム同期のうち一つと既存のデータフレーム用同期であるＦＳ０ないしＦＳ６のうち一つを用いることもでき、図６のｃａｓｅ  ３、ｃａｓｅ  ４に示したように二連結フレーム同期のすべてをＦＳｎ（ＦＳ７、ＦＳ８、ＦＳ９、そしてＦＳ１０）として選択して用いることもできる。
【０１００】
このように、新しく定義されたフレーム同期であるＦＳｎを少なくとも一つ連結フレームに用いれば、図９に示したように、光ピックアップ１１、ＶＤＰ（Ｖｉｄｅｏ  Ｄｉｓｃ  Ｐｌａｙ）システム１２、Ｄ／Ａ変換器１３等で構成される光ディスク装置がＢＤ−ＲＯＭから記録データを再生する時、現在検出されるフレームが連結領域内なのかデータ領域（物理的クラスタ）内かを迅速に判別できる。
【０１０１】
一方再記録可能なブルーレイディスクの場合、７個の他の同期信号を利用して３１個のレコーディングフレームを定義しているが、この場合７個の同期信号では３１個のレコーディングフレームを定義することに不充分なので、それぞれのフレームが自身の同期信号と前の同期信号のレコーディングフレーム形態との組合せにより定義される（図示せず）。
【０１０２】
すなわち、レコーディングフレーム同期信号Ｎが自身の同期信号タイプ（Ｔｙｐｅ）と以前の同期信号（Ｎ−１、Ｎ−２、および／またはＮ−３）から定義されれば、以前の同期信号のうち一つまたは２個の同期信号（Ｎ−１、Ｎ−２）が欠けていても以前の最終同期信号（Ｎ−３）から自身の同期信号形態を定義することができる。
【０１０３】
例えば現在のレコーディングフレームが７番目ならばそのフレームに該当する同期信号は図１Ｄに示すようにＦＳ１でなければならない。
【０１０４】
しかしＦＳ１はレコーディングフレーム１、２３、２４等にも使われるので現在のレコーディングフレームを定義するために、先の同期信号の形態を比較する。
【０１０５】
すなわち、現在のレコーディングフレーム７に該当するＦＳ１と以前のレコーディングフレーム６、５、４に該当する同期信号ＦＳ４、ＦＳ１、ＦＳ３の配列から現在のレコーディングフレームが７に該当することを容易に分かる。
【０１０６】
以上のようにレコーディングフレームの場合には同期信号の配列を利用して定義するに対して、本発明の連結領域での同期信号は新しい同期信号を用いているので、前のレコーディングフレームの同期信号配列との固有性（ｕｎｉｑｕｅｎｅｓｓ）を考慮しなければならない。以下図７Ａ、図７Ｂ、図７Ｃを基準にして詳細に説明する。
【０１０７】
図７Ａないし図７Ｃは本発明で適用可能な連結フレームの同期信号の種類を説明したものである。
【０１０８】
図７Ａは上で言及した図６Ａ、図６Ｂでのｃａｓｅ  １の場合を例にしたもので、図７Ｂと図７Ｃは図６Ｂでそれぞれｃａｓｅ  ３のＦＳ７−ＦＳ７とＦＳ７−ＦＳ８の同期対を例にしたものである。
【０１０９】
図７Ａでのように連結フレームの同期信号がＦＳ０とＦＳ７である場合には、図の（１）のようにフレーム＃０での同期信号ＦＳ０を基準にしてＦＳｎ−１、ｎ−２、ｎ−３が順序通りＦＳ７、ＦＳ０、ＦＳ２になる。このフレーム＃０はＲＵＢの１番目のアドレスユニットに該当する。（２）のように２番目の行のＦｒａｍｅ＃０はＦＳ２、ＦＳ４、ＦＳ４を有し、ＲＵＢの中間ａｄｄｒｅｓｓ  ｕｎｉｔ（ｍｉｄｄｌｅ  ａｄｄｒｅｓｓ  ｕｎｉｔ）に該当する。また（３）のようにフレーム＃１はＦＳ０、ＦＳ７／ＦＳ２、ＦＳ４を有し、ＲＵＢの１番目のＡＵＮに該当するか、ＲＵＢの中間ＡＵＮに該当する。また（４）のようにフレーム＃２はＦＳ１、ＦＳ０、ＦＳ７／ＦＳ２を有し、ＲＵＢの１番目のＡＵＮに該当するかＲＵＢの中間ＡＵＮに該当する。
【０１１０】
一方図面７Ａも‘Ａ’に表示されたように、ＲＵＢの中間ＡＵＮに該当するフレーム＃０と本発明で新しく提案されたフレーム＃３１はその以前のフレーム同期配列において同一の構造を有する。
【０１１１】
それゆえ本発明における連結領域の開始点を検出するとき困難が発生する。結果的に本発明で例示したＦＳ２／ＦＳ７の構造は前記の問題点を考慮すれば適切な構造でないことが分かる。
【０１１２】
次に図７Ｂに示されたようにＦＳ７／ＦＳ７を用いる場合を説明する。
図で見るように（１）の構造はフレーム＃０はＦＳ７／ＦＳ２、ＦＳ７／ＦＳ４、ＦＳ２／ＦＳ４の配列を有し、ＲＵＢの１番目ＡＵＮに該当するか、ＲＵＢの中間ＡＵＮに該当する。また（２）の構造のようにフレーム＃１はＦＳ０、ＦＳ７／ＦＳ２、ＦＳ７／ＦＳ４の配列を有し、ＲＵＢの１番目のＡＵＮに該当するか、ＲＵＢの中間ＡＵＮに該当する。また（３）の構造のようにフレーム＃２はＦＳ１、ＦＳ０、ＦＳ２の配列を有し、やはりＲＵＢの１番目のＡＵＮに該当するかＲＵＢの中間ＡＵＮに該当する。
【０１１３】
しかし図面７Ｂに提示されたＦＳ７／ＦＳ７の場合、Ｂに示された部分のように本発明で新しく提示した連結領域の連結フレーム１（フレーム＃３１）と連結フレーム２（フレーム＃３２）がフレームｎとフレームｎ−３で同一のフレーム同期シーケンスとなっているので連結領域を定義するのに問題になることがある。しかしＦＳ７／ＦＳ７構造は本発明で提示したようにＦＳ７自体が新しいフレーム同期信号であるのでＦＳ７／ＦＳ７構造で連結領域を検出することは前の７Ａで説明した構造よりは重大な問題が起こらない。
【０１１４】
次に図７Ｃに示されたように、ＦＳ７／ＦＳ８を例を挙げれば、（１）のようにフレーム＃０ではＦＳ８／ＦＳ２、ＦＳ２７／ＦＳ４、ＦＳ２／ＦＳ４の配列を有し、ＲＵＢの１番目のＡＵＮに該当するか、ＲＵＢの中間ＡＵＮに該当する。
【０１１５】
また（２）のようにフレーム＃１はＦＳ０、ＦＳ８／ＦＳ２、ＦＳ７／ＦＳ４の配列を有し、ＲＵＢの１番目のＡＵＮであるかＲＵＢの中間ＡＵＮである。
【０１１６】
（３）のようにフレーム＃２はＦＳ１．ＦＳ０、ＦＳ７／ＦＳ２の配列を有し、ＲＵＢの１番目のＡＵＮであるかＲＵＢの中間ＡＵＮである。
【０１１７】
図で分かるように、ＦＳ７／ＦＳ８の構造を用いる場合、同一に配列されたフレーム構造がなく、すなわち固有の（ｕｎｉｑｕｅ）構造を有するので先に説明した面７Ａ、７Ｂにおける構造と比較して問題が発生しない。
【０１１８】
結果的に、例示した本発明における連結領域でのＦＳ構造はＦＳ７／ＦＳ８が最も良いことが分かる。またこのＦＳ７／ＦＳ８の構造は先に説明したように、ＲＭＴＲ  ｃｏｎｓｔｒａｉｎｔを容易に満足させている。
【０１１９】
図８は本発明が適用された光ディスクの再生方法の一実施形態である。本発明による連結領域の構造を有する高密度ディスク（ＢＤ−ＲＯＭ）が挿入されてローディングされると（Ｓ８１）、再生制御のための管理情報を読み出し、メモリに一時保存する（Ｓ８２）。管理情報は望ましくは光ディスクのｌｅａｄ−ｉｎ領域に記録されていて初期に光ピックアップがｌｅａｄ−ｉｎ領域へ移動してその管理情報を読み出す。その後、制御部の制御によって主要情報の再生を始める（Ｓ８３）。同期信号が検出されたか否かをチェックして（Ｓ８４）、同期信号が検出された場合、その検出された同期信号が主情報領域に記録された同期信号パターンとは異なった同期信号か否かを判断する（Ｓ８５）。前記判断はＦＳ０〜ＦＳ８のパターンを有する同期信号を光ディスク記録／再生システムに格納しておいて再生された同期信号と比較することによって可能である。そのステップで主情報領域に記録される同期信号（ＦＳ０〜ＦＳ６）のうち一つだと判断されると戻り、主情報領域に記録された同期信号でなく新しい同期信号、すなわち本発明で適用された同期信号（ＦＳ７又はＦＳ８）と判断されると、その同期信号が検出された領域を連結フレーム領域と判断して（Ｓ８７）、次に連結フレーム１か否かを判断する（Ｓ８８）。連結フレーム１である場合にはそのフレーム同期信号の次に記録されたデータをデスクランブリングして（Ｓ８９）終える。
【０１２０】
一方、連結フレーム１がないなら連結フレーム２であるのでその同期信号が検出される領域を連結フレーム２と判断してその同期信号の次に記録されたデータをデスクランブリングする（Ｓ９０）。
【０１２１】
したがって、図９に示したように、光ピックアップ１１、ＶＤＰ（Ｖｉｄｅｏ  Ｄｉｓｃ  Ｐｌａｙ）システム１２、Ｄ／Ａ変換器１３などを含む光ディスク装置は、ＢＤ−ＲＯＭが装置内に挿入されると、そのＢＤ−ＲＯＭの連結領域内の第１及び第２連結フレーム（Ｒｅｃｏｒｄｉｎｇ  Ｆｒａｍｅ＃ｋ＋１、＃ｋ＋２）内の物理的アドレス情報とユーザデータをさらに正確に読み出して確認することができる。特にユーザデータに付加記録された複写防止情報またはサーボコントロール情報等のような多様な付加情報を参照して、それに対応する一連の動作を遂行する。
【０１２２】
上のように本発明で適用される新しい同期信号を検出、比較することによって現在のピックアップが位置している所が連結領域であるかデータ領域であるかを容易に判断することができる。
【０１２３】
（２）．物理的アドレス
一方、図４Ａでの構造を参照して図１０Ａに示した２個のレコーディングフレームにそれぞれ含まれる９バイトの物理的アドレス情報は、第１実施形態では、レコーディングフレームの後端に記録された物理的クラスタのアドレスユニット番号（ＡＵＮ＃ｋ＋１）が記録され（ｃａｓｅ  １）、また第２実施形態では、レコーディングフレームの前端に記録された物理的クラスタのアドレスユニット番号（ＡＵＮ＃ｋ）が記録されている（ｃａｓｅ  ２）。
【０１２４】
そして、第３実施形態では、２個のレコーディングフレームのうち、前に記録されたレコーディングフレームの物理的アドレス情報は、そのレコーディングフレームの前端に記録された物理的クラスタのアドレスユニット番号（ＡＵＮ＃ｋ）が記録されると共に、２個のレコーディングフレームのうち、後に記録されたレコーディングフレームの物理的アドレス情報は、そのレコーディングフレームの後端に記録された物理的クラスタのアドレスユニット番号（ＡＵＮ＃ｋ＋１）が記録される（ｃａｓｅ  ３）。
【０１２５】
また、前記のような９バイトの物理的アドレス情報は、図１１Ａに示したように、４バイトのアドレス情報と、１バイトの予備領域と、４バイトのパリティで構成されＢＤ−ＲＥで使われるＲＳ（９、５、５）方式のエラー訂正処理機能を持つようにエンコーディングされる。ＥＣＣ処理方法に対しては後で詳細に説明する。
【０１２６】
したがって、図９に示したように、光ピックアップ１１、ＶＤＰ（Ｖｉｄｅｏ  Ｄｉｓｃ  Ｐｌａｙ）システム１２、Ｄ／Ａ変換器１３などを含む光ディスク装置は、前記のような構造の連結領域を有するＢＤ−ＲＯＭが装置内に挿入されると、そのＢＤ−ＲＯＭの連結領域内の第１及び第２連結フレーム（Ｒｅｃｏｒｄｉｎｇ  Ｆｒａｍｅ＃ｋ＋１、＃ｋ＋２）内の物理的アドレス情報とユーザデータをより正確に読み出して確認することができるようになり、特にユーザデータに付加記録された複写防止情報またはサーボコントロール情報等のような多様な付加情報を参照して、それに対応する一連の動作を遂行する。
【０１２７】
一方、図４Ｄを参照して図１０Ｂに示したように、３個のレコーディングフレームにそれぞれ含めて記録される９バイトの物理的アドレス情報は、第１実施形態では、そのレコーディングフレームの後端に記録された物理的クラスタのアドレスユニット番号（ＡＵＮ＃ｋ＋１）が記録され（ｃａｓｅ  １）、また第２実施形態では、そのレコーディングフレームの前端に記録された物理的クラスタのアドレスユニット番号（ＡＵＮ＃ｋ）が記録される（ｃａｓｅ  ２）。
【０１２８】
また、前記のような９バイトの物理的アドレス情報は、図１１Ａに示したように、４バイトのアドレス情報と、１バイトの予備領域と、４バイトのパリティとで構成され、ＢＤ−ＲＥで使われるＲＳ（９、５、５）方式のエラー訂正処理機能持つようになる。ＥＣＣ処理方法に対しては後で詳細に説明する。
【０１２９】
したがって、図９に示したように、光ピックアップ１１、ＶＤＰ（Ｖｉｄｅｏ  Ｄｉｓｃ  Ｐｌａｙ）システム１２、Ｄ／Ａ変換器１３などを含む光ディスク装置は、前記のような構造の連結領域を有するＢＤ−ＲＯＭが装置内に挿入されると、そのＢＤ−ＲＯＭの連結領域内の第１、第２、第３の連結フレーム（Ｒｅｃｏｒｄｉｎｇ  Ｆｒａｍｅ＃ｋ＋１、＃ｋ＋２、＃ｋ＋３）内の物理的アドレス情報とユーザデータをより正確に読み出して確認することができ、特にユーザデータに付加記録された複写防止情報またはサーボコントロール情報等のような多様な付加情報を参照して、それに対応する一連の動作を遂行する。
【０１３０】
図１０Ｃは、本発明の他の実施形態であって、代替記録されるレコーディングフレーム内のアドレス情報を示したものである。ＢＤ−ＲＯＭに記録された第１及び第２連結フレーム（Ｒｅｃｏｒｄｉｎｇ  Ｆｒａｍｅ＃ｋ＋１、＃＃ｋ＋２）には、前述したように、９バイトの物理的アドレスが含まれている。その９バイトの物理的アドレス情報のうち、４バイトのアドレスは、図１０Ｃに示したように、連結フレームの前または後の物理的クラスタに書かれたアドレス情報、例えば、１６個のアドレスユニット番号（ＡＵＮ  ０〜１５：Ａｄｄｒｅｓｓ  Ｕｎｉｔ  Ｎｕｍｂｅｒ  ０〜１５）と同じ値である。
【０１３１】
一方、第１レコーディングフレームの前に記録された物理的クラスタ内に分散記録されている４バイトのアドレスは、図１０Ｃに示したように、アドレスユニット番号の順序を示すための４ビット（００００〜１１１１）と'０'値を有する１ビット、すなわち５ビット（０００００〜１１１１０）以外の残り３バイトと３ビットで記録されて、一つの物理的クラスタ内には同一の値のアドレス情報が記録される。
【０１３２】
また、第２レコーディングフレームの後に記録された物理的クラスタ内に分散記録されている４バイトのアドレスも、同様にアドレスユニット番号の順序を示すための４ビットと'０'値を有する１ビット、すなわち５ビット（０００００〜１１１１０）を除外した残り３バイトと３ビットで記録されて、一つの物理的クラスタ内で同一の値のアドレス情報が記録される。
【０１３３】
そして、第１レコーディングフレームに含めて記録される４バイトのアドレス情報は、その前に記録された物理的クラスタのアドレス情報を記録することができる。例えば、図１０Ｃに示したように、その４バイトのアドレス情報は最も隣接して記録された１６番目のアドレスユニット番号（ＡＵＮ  １５）に対応する３バイト及び３ビットのアドレス情報と'１１１１０'のビット値が記録され、また前記'１１１１０'ビット値のうち最終ビットの'０'値を'１'値に変更記録して、そのアドレス情報が物理的クラスタに記録されたアドレス情報ではなく、代替記録されたレコーディングフレーム内に記録されたアドレス情報であることを示すことができる。
【０１３４】
また、第２レコーディングフレームに含めて記録される４バイトのアドレス情報は、その後に記録された物理的クラスタのアドレス情報を記録することができる。例えば、図１０Ｃに示したように、その４バイトのアドレス情報は最も隣接して記録された１番目のアドレスユニット番号（ＡＵＮ  ０）に対応する３バイト及び３ビットのアドレス情報と'０００００'のビット値が記録され、また'０００００'ビット値のうち最終ビットの'０'値を'１'値に変更記録して、そのアドレス情報が物理的クラスタに記録されたアドレス情報ではなく、代替記録されたレコーディングフレーム内に記録されたアドレス情報であることを示すことができる。
【０１３５】
そして、第１レコーディングフレームに記録されるアドレス情報のうち最終５ビットは、'０００００'の値が記録され、また第２レコーディングフレームに記録されるアドレス情報のうち最終５ビットは、'１１１１０'の値が記録されてもよい。
【０１３６】
また、図１０Ｃを参照しながら前述したように、前または後に記録された物理的クラスタのうち、任意の一物理的クラスタのアドレス情報を、第１及び第２レコーディングフレーム内にそれぞれ記録することができる。
【０１３７】
（３）．スクランブリング
図１１Ａは図４Ａの構造の連結フレーム構成回路を示したものである。連結フレーム構成回路はスクランブラ１０と加算器２０により生成されている。例えばスクランブラ１０は、１１４バイトのユーザデータを９バイトの物理的アドレス情報を利用してスクランブル処理することによってサーボコントロール動作時に遂行されるディジタル合計値（ＤＳＶ：Ｄｉｇｉｔａｌ  Ｓｕｍ  Ｖａｌｕｅ）が零（Ｚｅｒｏ）に近い最小値になるようにして、スクランブル処理されたユーザデータの先頭に９バイトの物理的アドレス情報を付加する。
【０１３８】
また加算器２０はスクランブラ１０を経て出力される物理的アドレス情報の前端に２０チャネルビットの同期信号を付加すると共に、スクランブラ１０を経て出力されるユーザデータの後端に３２バイトのパリティを付加して一つのレコーディングフレームを生成させる。
【０１３９】
したがってレコーディングフレームには９バイトの物理的アドレス情報によりスクランブル処理された１１４バイトのユーザデータが含まれが、そのユーザデータは９バイトの物理的アドレス情報ではない他の任意の情報によりスクランブル処理されてもい。
【０１４０】
一方、図４Ｄのレコーディングフレームは、図１１Ｂに示したように、スクランブラ（Ｓｃｒａｍｂｌｅｒ）１０’と加算器（Ａｄｄｅｒ）２０’が含まれる。例えばスクランブラ１０’は、複写防止情報等のような６２バイトのユーザデータを、９バイトの物理的アドレス情報を利用してスクランブル処理することによって、サーボコントロール動作実施時に検出されるＤＳＶ（Ｄｉｇｉｔａｌ  Ｓｕｍ  Ｖａｌｕｅ）が零（Ｚｅｒｏ）に近い最小値になるようにして、スクランブル処理されたユーザデータの先頭に９バイトの物理的アドレス情報を付加する。
【０１４１】
また、加算器２０’は、スクランブラ１０’を経て出力される物理的アドレス情報とユーザデータの後端に３２バイトのパリティを付加して、１０３バイトの記録大きさを有する一つのレコーディングフレームを生成する。
【０１４２】
したがって、レコーディングフレームには、９バイトの物理的アドレス情報によりスクランブル処理された６２バイトのユーザデータが含まれて記録される。しかし、ユーザデータは、９バイトの物理的アドレス情報ではなく他の任意の情報によりスクランブル処理されてもよい。
【０１４３】
一方、図４Ａの連結フレームは、先に提示されたように、フレーム同期、９バイトの物理的アドレス、１１４バイトのユーザデータ、３２バイトのパリティで構成される代わりに、図４Ｂ、１２Ａに提示されたように、フレーム同期、４バイトの物理的アドレス、１バイトの予備領域（Ｒｅｓｅｒｖｅｄ）、４バイトのパリティ（Ｐａｒｉｔｙ）、１４６バイトのユーザデータで構成されてもよい。１４６バイトのユーザデータはスクランブルされて記録されるが、このスクランブルのためのキー（ｋｅｙ）値として４バイトの物理的アドレスを用いることができる。
【０１４４】
すなわち、前記４バイトの物理的アドレスの３２ビット値（Ａｄｄ０〜Ａｄｄ３１）の一部は、図１２Ｂに示したように、スクランブラ回路（Ｓｃｒａｍｂｌｅｒ  Ｃｉｒｃｕｉｔ）内の１６ビット（ｓ０〜ｓ１５）シフトレジスタ１０１に並列ロード（Ｐａｒａｌｌｅｌ  Ｌｏａｄ）された後、シフトレジスタ１０１のシフト過程毎に一つのスクランブリングバイトが出力される。
【０１４５】
この実施形態ではユーザデータが１４６バイトであるので１４６シフト毎に１回ずつ物理的アドレスの一部をシフトレジスタ１０１に並列ロードする。この時並列ロードされる物理的アドレスの値は連結領域が変われば自然に他の値になるようになっている。並列ロード後、１４６個のスクランブリングバイト（Ｓ０〜Ｓ１４５）が生成されて、この各スクランブリングバイトは排他的ＯＲゲート１０２により１４６バイトのユーザデータ（Ｄ０〜Ｄ１４５）と次々に排他的ＯＲ演算されることによって連結フレームに記録するユーザデータをスクランブリングする。
【０１４６】
ユーザデータをスクランブリングするためのキー値を、物理的アドレスの代りに連結フレーム内の同期パターンの一部、または‘１０’のビットが繰り返されるビット列を用いることもできる。
【０１４７】
連結フレーム内の物理的アドレス代わりに、現在の連結フレームの前または後の物理的クラスタ内の１６個のアドレスのうち、現在の連結フレームに最も近接されたアドレスを用いることもできる。
【０１４８】
また、連結フレーム内に記録される物理的アドレスは、ユーザデータと共にスクランブルされた状態で記録されてもよい。
【０１４９】
そして、図４Ｃの実施形態のように、連結フレーム内に物理的アドレスが直接記録されないこともある。図１３を参照しながら説明すれば、この時にはユーザデータをスクランブルするキー値として、すなわち、シフトレジスタの初期ローディング値として、連結フレームの前または後の物理的クラスタに記録される物理的アドレスを用いる。この実施形態でのユーザデータは１５５バイトであるので１５５回のシフト毎に新しいまたは同一の物理的アドレスでシフトレジスタの初期値を再ローディングする。
【０１５０】
すなわち、アドレスユニットデータ（Ａｄｄ０〜ａｄｄ３１）の一部は、図１３に示したようにＢＤ−ＲＥに適用されるスクランブラ内の１６ビット（Ｓ０〜ｓ１５）のシフトレジスタ１０１’に並列ロードされた後、一連のシフト過程を経て８ビットの記録大きさを有する１５５個のスクランブリングバイト（ｓ０〜ｓ１５４）を次々と出力する。
【０１５１】
そして、排他的ＯＲゲート１０２’は各スクランブリングバイト（ｓ０〜ｓ１５４）を１５５バイトのユーザデータ（Ｄ０〜Ｄ１５４）と次々と排他的ＯＲ演算して、スクランブル処理された１５５バイトのユーザデータ（Ｄ’０〜Ｄ’１５４）を出力し、前記のような過程を経てスクランブル処理された１５５バイトのユーザデータが連結領域内のレコーディングフレームに記録される。
【０１５２】
一方、ユーザデータをスクランブリングするためのキー値を、物理的アドレスの代りに連結フレーム内の同期パターンの一部、または‘１０’のビットが繰り返されるビット列を用いることもできる。
【０１５３】
（４）．ダミーデータ（Ｄｕｍｍｙ  ｄａｔａ）
前記のようにＢＤ−ＲＯＭの連結領域に所定の大きさを有する２個のレコーディングフレームを記録して、ＢＤ−ＲＥとの互換性を最大限維持するが、ユーザデータ記録空間に複写防止やサーボコントロールのための有効なデータを記録しない場合には、そのレコーディングフレーム内のユーザデータを、図１４Ａに示したように、事前に設定された任意の固定値、例えば'００'等のような任意の固定値が繰り返される同一の記録パターンのダミーデータ（Ｄｕｍｍｙ  ｄａｔａ）で一括記録することができる。
【０１５４】
これにより、ＢＤ−ＲＯＭに区分して割り当てられたすべての連結領域内のレコーディングフレームには、任意の固定された値を有するダミーデータが同一に記録されるが、この場合、ＢＤ−ＲＯＭを製作する過程がより簡素化される長所がある反面、光ディスク装置でサーボ動作遂行時、隣接トラック間に同一記録パターンを有するダミーデータを検出するようになり、クロス・トークが発生する可能性が増加するという短所がある。
【０１５５】
したがって、本発明による他の実施形態は、ＢＤ−ＲＯＭの連結領域に所定記録大きさを有する２個のレコーディングフレームを記録して、ＢＤ−ＲＥとの互換性を最大限維持するが、各レコーディングフレーム内のユーザデータを、図１４Ｂに示したように、異なる任意の値、例えば'００ｈ'、'０１ｈ’、'１０ｈ'、'１１ｈ'、'ＦＦｈ'、'ＡＡｈ'等のような多様な任意の値が繰り返される異なる記録パターンのダミーデータ（Ｄｕｍｍｙ  ｄａｔａ）をそれぞれ記録することができる。
【０１５６】
これにより、ＢＤ−ＲＯＭに区分して割り当てられた各連結領域内のすべてのレコーディングフレームには、異なる任意の値を有するダミーデータがそれぞれ記録される。この場合、光ディスク装置でサーボ動作実施時に、隣接トラック間に同一記録パターンのダミーデータが検出されないので、連結領域内に記録されたユーザデータによってクロス・トークが発生することを基本的に防止することができる。
【０１５７】
一方、本発明によるまた他の実施形態は、ＢＤ−ＲＯＭの連結領域に所定の大きさを有する２個のレコーディングフレームを記録して、ＢＤ−ＲＥとの互換性を最大限維持するが、図１４Ｃに示したように、各連結領域別にレコーディングフレーム内のユーザデータを、異なる任意の値、例えば'００'、'０１’、'１１'等のような多様な任意の値が繰り返される異なる記録パターンのダミーデータ（Ｄｕｍｍｙ  ｄａｔａ）でそれぞれ記録することができる。
【０１５８】
これにより、ＢＤ−ＲＯＭに区分割り当てられた各連結領域内のレコーディングフレームのうち、同一の一つの連結領域内のレコーディングフレームには、任意の固定された値を有する記録パターンのダミーデータが同一に記録されて、それぞれ異なる連結領域の間には、異なる任意の値を有するダミーデータが記録されたレコーディングフレームが記録される。
【０１５９】
したがって、光ディスク装置でサーボ動作遂行時、隣接トラック間に同一記録パターンのダミーデータが検出されないので、連結領域内に記録されたユーザデータによってクロス・トークが発生するのを防止することができ、またＢＤ−ＲＯＭを製作する過程が比較的簡素化できる。
【０１６０】
また、固定された一つの値、例えば、‘００ｈ’をユーザデータ記録空間のすべてに記録するが、その記録される値を変化する物理的アドレスでスクランブルして記録してもクロス・トーク発生確率を顕著に低くすることができる。
【０１６１】
そして、‘００ｈ’をスクランブルして記録する場合にも、その前端に‘０８ｈ’をスクランブルなしに記録すると、先に言及したように１７ｐｐ変調方式でＲＭＴＲの条件に拘束されないで用いることができ、フレーム同期の自由度が広くなる。
【０１６２】
（５）．エラー訂正ブロックの構成
もし、ユーザデータ記録空間に有用であって重要な情報を記録する場合には、その情報の信頼性を保障するためにチャネルエンコーディングを行うことができる。この時のチャネルエンコーディングはＢＤ−ＲＯＭの物理的クラスタに記録されるユーザデータに行なわれるエンコーディングであるＲＳ（６２、３０、３３）とＲＳ（２４８、２１６、３３）を用いる。
【０１６３】
図１５Ａは図４Ｄを基礎にしてこの方法による連結領域のデータ構造を示したものである。図１５Ａのような構造で有用なデータを記録するために、先に３０バイトのデータをＲＳ（６２、３０、３３）方式でエンコーディングして３２バイトのパリティを付加する。
【０１６４】
このために、図１５Ｂに図示したように、入力される３０９バイトのユーザデータを一つの行にして次々とメモリーに記録してその行が３０個になれば、３０ｘ３０９バイトのデータブロックの各列（ｃｏｌｕｍｎ）をスキャニング１５１することによってＲＳ（６２、３０、３３）方式による３２バイトのパリティを生成して各列に付加する。したがって、一つの列に対して６２バイトのデータが作られる。
【０１６５】
パリティが付加された６２バイトはスクランブルすることができる。スクランブルする場合には先に言及したように物理的アドレスの一部をスクランブルキー値として用いることができる。
【０１６６】
このようにして作られた６２バイトのデータの前端には９バイトの物理的アドレスを付ける。この物理的アドレスを実際のアドレスとそのアドレスに対するパリティとで構成することができる。例えば、４バイトの実アドレス値、１バイトの予備フィールド、４バイトのパリティで構成することができる。
【０１６７】
物理的アドレスが付加された７１バイトに、ダミーデータを１４５バイト付加して、ＲＳ（２４８、２１６、３３）方式のエンコーディングを行うことによって、３２バイトのパリティを再び付加して前端に付加した１４５バイトを除去する。これで１０３バイトの連結領域記録用データユニットが生成される。
【０１６８】
次に３０バイトのデータに対しても上に説明された動作を繰り返して１０３バイトのデータユニットを続けて生成する。
【０１６９】
３個のデータユニットが生成されると、後端にダミー４ビットを付加して合計２４７６ビットを作り、次にこれに対して１７ＰＰ変調動作を行う。この変調動作により２４７６ビットは３７１４ビットになるが、この変調した３７１４ビットの前端に３０チャネルビットの第１フレーム同期を付加して、その後端にそれぞれ３０、４０、３０、２０チャネルビットである第２フレーム同期、反復ビットパターン、第３フレーム同期、反復ビットパターンを付加することによって計３８６４チャネルビットになるようにする。この３８６４チャネルビットは連結領域に記録される。
【０１７０】
もし、連結領域に記録する有用なデータが小さい場合には３０バイトに足りない領域にはダミーデータを詰める。例えば連結領域当たり３バイトが記録される場合には各データユニットに１バイトずつ記録されなければならないので、図１５Ｃに示したように、３０ｘ３０９バイトのブロックに３０９バイトの１行を詰めた後、残りの２９行はダミーデータで詰める。このようにすれば、各列に対しては、１バイトの有効なデータに２９バイトのダミーデータを詰めたことになる。そして、各列に対して、ＲＳ（６２、３０、３３）のエンコーディング過程をそれぞれ遂行して３２バイトのパリティをそれぞれ付加する。
【０１７１】
連結領域に記録された有効データを復元するためには上の説明された記録過程の逆順でデコーディングする。
【０１７２】
一つの連結領域を２個のフレームで構成した図４Ｂの実施形態の場合には、各フレーム当たり１４６バイトのユーザデータ領域を、図４Ａでのように１１４バイトの有効データと３２バイトのパリティデータ領域に区分して用いることができる。
【０１７３】
図４Ａの記録形態では記録データの信頼性のために図４Ｂまたは４Ｃとは異なった方式で有効データをチャネルエンコーディングする。エンコーディングする過程は図１６に図示した。
【０１７４】
まず２０４８バイトの有効データを集める（Ｓ１）。集められた２０４８バイトの有効データブロックに対して４バイトのＥＤＣ（Ｅｒｒｏｒ  Ｄｅｔｅｃｔｉｏｎ  Ｃｏｄｅ）を付加する（Ｓ２）。ＥＤＣが付加された２０５２バイトを、１１４バイトの１８個のデータユニットに分割する（Ｓ３）。各ユニットをスクランブルした（Ｓ４）後に、９バイトの物理的アドレスを付加する（Ｓ５）。物理的アドレスが付加された１２３バイトのデータユニットに９３バイトのダミーデータを付加してＲＳ（２４８、２１６、３３）エンコーディング方式を適用することによって３２バイトのパリティを生成し、付加した９３バイトのダミーデータを除去して１５５バイトのフレームデータを構成する（Ｓ６）。生成されたフレームデータに１７ＰＰ変調を実施して、先に言及した３０チャネルビットのフレーム同期を付加することによって１９３２チャネルビットの一つの連結フレームを完成する（Ｓ７）。
【０１７５】
先に分割された１１４バイトの後にデータユニットに対しても同じ過程を実施してさらに一つの連結フレームを完成する。このように完成した２個の連結フレームを連結領域に記録することによって図４Ａのような記録構造が作られる。
【０１７６】
一方、１１４バイトのデータユニットをスクランブルする時は先に説明したように物理的アドレスを用いるが、連結領域の前端連結フレームと後端連結フレームに、連結領域の前または後のレコーディングユニットブロック（ＲＵＢ：Ｒｅｃｏｒｄｉｎｇ  Ｕｎｉｔ  Ｂｌｏｃｋ）に記録されたアドレスを互に同一に用いたりまたは異なるように用いることもできる。異なる物理的アドレスを用いる時は、前端の連結フレームは連結領域の前のアドレスを、後端は連結領域以後のアドレスを用いることができる。
【０１７７】
また、各連結フレームに記録される物理的アドレスは先に言及したように４バイトの実アドレス領域、１バイトの予備領域、４バイトのパリティ領域で構成させることができる。パリティはＲＳ（９、５、５）チャネルコーディングを適用して生成される。
【０１７８】
そして、４バイトの実アドレス領域も２７ビットの実アドレスと５ビットの識別子で構成される。
【０１７９】
この識別子は連結領域に記録されるフレームの各物理的アドレスを区別することに利用され、‘０００００／１１１１０’の対または‘００００１／１１１１１’の対を用いる。前者の（または後者の）対を用いる場合、一つの連結フレームのアドレスに‘０００００’（または‘００００１’）の識別子が使用されると他の連結フレームのアドレスには‘１１１１０’（または‘１１１１１’）の識別子を用いる。
【０１８０】
先の説明で、連結フレームに使われるフレーム同期は物理的クラスタに記録されるデータフレームの同期（ＦＳ０〜ＦＳ６）とは異なった同期信号（ＦＳｎ）を用いることができると説明した。このようにデータフレームの同期とは異なった同期を用いる場合、その同期信号を利用して物理的クラスタに記録されるデータを暗号化して記録するようになればＢＤ−ＲＯＭに収録されたコンテンツが不法に複製されることを防止することができる。
【０１８１】
すなわち、ＢＤ−ＲＯＭのコンテンツをＢＤ−ＲＥのような記録可能記録媒体に複写してもその記録媒体にはＢＤ−ＲＯＭの連結フレームにあるフレーム同期が記録されるのでなく、新しい同期信号（ＦＳｎ）もその記録可能記録媒体に記録されることがないので、その記録媒体に複写されたコンテンツを再生しようとする時暗号化時に使われたキー値を得ることができず、再生が不可能になる。したがって、不法複製を防止することができる。
【０１８２】
前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能である。
【図面の簡単な説明】
【０１８３】
【図１Ａ】再記録可能なブルーレイディスクの構造を示したものである。
【図１Ｂ】再記録可能なブルーレイディスク（ＢＤ−ＲＥ：Ｂｌｕ−ｒａｙ  Ｄｉｓｋ  ＲＥｗｒｉｔａｂｌｅ）の記録ユニットブロックの構成を示したものである。
【図１Ｃ】再記録可能なブルーレイディスク（ＢＤ−ＲＥ：Ｂｌｕ−ｒａｙ  Ｄｉｓｋ  ＲＥｗｒｉｔａｂｌｅ）の記録ユニットブロックの構成を示したものである。
【図１Ｄ】再記録可能なブルーレイディスクの物理的クラスタの構成を示したものである。
【図１Ｅ】再記録可能なブルーレイディスクで使われる同期信号の配列を示したものである。
【図２】再記録可能なブルーレイディスク（ＢＤ−ＲＥ）の記録ユニットブロックにあるランイン（Ｒｕｎ−ｉｎ）とランアウト（Ｒｕｎ−ｏｕｔ）領域の構成をそれぞれ示したものである。
【図３】図３本発明の第１実施形態によって再生専用ブルーレイディスク（ＢＤ−ＲＯＭ）の記録ユニットブロックに形成されるランインとランアウト領域をそれぞれ示したものである。
【図４Ａ】本発明の第２実施形態によって再生専用ブルーレイディスク（ＢＤ−ＲＯＭ）の連結領域を示したものである。
【図４Ｂ】本発明の第３実施形態によって再生専用ブルーレイディスク（ＢＤ−ＲＯＭ）の連結領域を示したものである。
【図４Ｃ】本発明の第４実施形態によって再生専用ブルーレイディスク（ＢＤ−ＲＯＭ）の連結領域を示したものである。
【図４Ｄ】本発明の第５実施形態によって再生専用ブルーレイディスク（ＢＤ−ＲＯＭ）の連結領域を示したものである。
【図５】本発明で適用される新しい同期信号の種類を示したものである。
【図６Ａ】本発明の他の実施形態によって再生専用ブルーレイディスク（ＢＤ−ＲＯＭ）上に形成される、データブロックである物理的クラスタを繋ぐ連結領域の構成と可能な同期信号を示したものである。
【図６Ｂ】本発明によって連結フレームに記録されるフレーム同期の種類を例示したのである。
【図７Ａ】本発明による連結領域内の各連結フレームの構造及び記録されるフレーム同期を例示したのである。
【図７Ｂ】本発明による連結領域内の各連結フレームの構造及び記録されるフレーム同期を示したのである。
【図７Ｃ】本発明による連結領域内の各連結フレームの構造及び記録されるフレーム同期を例示したのである。
【図７Ｄ】１７ＰＰ変調方法の変換テーブルを示したものである。
【図８】本発明による各連結フレームの再生のための方法を例示したのである。
【図９】記録媒体を再生するためのプレーヤーの構成を簡略に示したものである。
【図１０Ａ】本発明による連結フレームの物理的アドレスを記録する方法に関するものである。
【図１０Ｂ】本発明による連結フレームの物理的アドレスを記録する方法に関するものである。
【図１０Ｃ】本発明による連結フレームの物理的アドレスを記録する方法に関するものである。
【図１１Ａ】図４Ａの連結フレーム構造のためのスクランブラの第１実施形態を示したものである。
【図１１Ｂ】図４Ｄの連結フレーム構造のためのスクランブラの第２実施形態を示したものである。
【図１２Ａ】図４Ｂの連結フレーム構造で物理的アドレス構成を示したものである。
【図１２Ｂ】図１２Ａに示した連結フレーム構造のためのスクランブラの細部構成図を示したものである。
【図１３】図４Ｃの連結フレーム構造のためのスクランブラの細部構成図を示したものである。
【図１４】本発明によって連結フレームの記録空間に任意の値のユーザデータを記録した例を示したものである。
【図１５Ａ】図４Ｄの連結フレームの記録空間にユーザデータをエラー復元が可能なように記録する本発明による実施形態を示したものである。
【図１５Ｂ】図１５Ａの実施形態において、付加情報が含まれて記録される連結フレームにエラー訂正フォーマットでユーザデータを記録する過程をそれぞれ示したものである。
【図１５Ｃ】図１５Ａの実施形態において、付加情報が含まれて記録される連結フレームにエラー訂正フォーマットでユーザデータを記録する過程をそれぞれ示したものである。
【図１６】連結フレームの記録空間にユーザデータをエラー復元が可能なように記録する本発明によるまた他の実施形態を示したものである。
【符号の説明】
【０１８４】
１０  スクランブラ、１１  光ピックアップ、１２  ＶＤＰシステム、１３  Ｄ／Ａ変換器、２０  加算器
【図１Ａ】
0004767600.tif 000002
【図１Ｂ】
0004767600.tif 000003
【図１Ｃ】
0004767600.tif 000004
【図１Ｄ】
0004767600.tif 000005
【図１Ｅ】
0004767600.tif 000006
【図２】
0004767600.tif 000007
【図３】
0004767600.tif 000008
【図４Ａ】
0004767600.tif 000009
【図４Ｂ】
0004767600.tif 000010
【図４Ｃ】
0004767600.tif 000011
【図４Ｄ】
0004767600.tif 000012
【図５】
0004767600.tif 000013
【図６Ａ】
0004767600.tif 000014
【図６Ｂ】
0004767600.tif 000015
【図７Ａ】
0004767600.tif 000016
【図７Ｂ】
0004767600.tif 000017
【図７Ｃ】
0004767600.tif 000018
【図７Ｄ】
0004767600.tif 000019
【図８】
0004767600.tif 000020
【図９】
0004767600.tif 000021
【図１０Ａ】
0004767600.tif 000022
【図１０Ｂ】
0004767600.tif 000023
【図１０Ｃ】
0004767600.tif 000024
【図１１Ａ】
0004767600.tif 000025
【図１１Ｂ】
0004767600.tif 000026
【図１２Ａ】
0004767600.tif 000027
【図１２Ｂ】
0004767600.tif 000028
【図１３】
0004767600.tif 000029
【図１４】
0004767600.tif 000030
【図１５Ａ】
0004767600.tif 000031
【図１５Ｂ】
0004767600.tif 000032
【図１５Ｃ】
0004767600.tif 000033
【図１６】
0004767600.tif 000034